(57)【要約】【課題】ユーザーに対し効率的／効果的なトレーニングを行うためのサポートを行うこと。【解決手段】本発明の解析情報提供システムＳＹは、運動情報を計測する運動管理機器１と、運動管理機器１で計測した運動情報にユーザー識別情報を付加して管理サーバー５に送信する携帯端末２と、ユーザーのチェックアウトを検出してユーザー識別情報および解析情報要求を管理サーバー５に送信すると共に、管理サーバー５から送信された解析情報を印刷するＰＯＳプリンター４と、携帯端末２から送信されたユーザー識別情報および運動情報をデータベース５０に記録し、ＰＯＳプリンター４からユーザー識別情報および解析情報要求が送信されたとき、データベース５０に記録された運動情報に基づいて解析情報を生成し、生成した解析情報をＰＯＳプリンター４に送信する管理サーバー５と、を備えた。【選択図】図１
2016131612.tif 000002
【特許請求の範囲】
【請求項１】
ユーザー機器、印刷装置およびサーバーを含み、前記ユーザー機器を所有するユーザーに対し運動解析結果である解析情報を提供する解析情報提供システムであって、
前記ユーザー機器は、
前記ユーザーの運動に関する情報である運動情報を計測する計測部と、
計測した前記運動情報に、ユーザー識別情報を付加して前記サーバーに送信する送信部と、を備え、
前記印刷装置は、
前記ユーザーのチェックアウトを検出する検出部と、
前記チェックアウトを検出したとき、前記ユーザーのユーザー識別情報と、前記解析情報を取得するための解析情報要求と、を前記サーバーに送信する送信部と、
前記サーバーから送信された前記解析情報を印刷する印刷部と、を備え、
前記サーバーは、
前記ユーザー機器から送信された前記ユーザー識別情報および前記運動情報をデータベースに記録する記録部と、
前記印刷装置から前記ユーザー識別情報および前記解析情報要求が送信されたとき、前記データベースに記録された前記運動情報に基づいて前記解析情報を生成する生成部と、
生成した前記解析情報を前記印刷装置に送信する送信部と、を備えることを特徴とする解析情報提供システム。
【請求項２】
前記生成部は、前記印刷装置から前記ユーザー識別情報および前記解析情報要求が送信されたとき、前記解析情報と共に、所定の期間内に計測または送信された前記運動情報に基づく運動実績を生成し、
前記サーバーの前記送信部は、生成した前記解析情報および前記運動実績を前記印刷装置に送信し、
前記印刷部は、前記解析情報および前記運動実績を印刷することを特徴とする請求項１に記載の解析情報提供システム。
【請求項３】
前記検出部は、前記ユーザーのチェックアウト以外にチェックインを検出し、
前記印刷装置の前記送信部は、前記チェックインまたは前記チェックアウトを示す情報と共に前記ユーザー識別情報を前記サーバーに送信し、
前記所定の期間は、同一ユーザーの前記チェックインから前記チェックアウトまでの期間であることを特徴とする請求項２に記載の解析情報提供システム。
【請求項４】
前記生成部は、前記印刷装置から前記ユーザー識別情報および前記解析情報要求が送信されたとき、前記解析情報および前記運動実績と共に、前記データベースに記録された複数のユーザーの前記運動情報に基づいて、対応するユーザーのランキングを示すランキング情報を生成し、
前記サーバーの前記送信部は、前記解析情報、前記運動実績および前記ランキング情報を前記印刷装置に送信し、
前記印刷部は、前記解析情報、前記運動実績および前記ランキング情報を印刷することを特徴とする請求項２または３に記載の解析情報提供システム。
【請求項５】
前記生成部は、前記解析情報および前記運動実績と共に、対応するユーザーの前記ランキングに応じたインセンティブを示すインセンティブ情報を生成し、
前記サーバーの前記送信部は、前記解析情報、前記運動実績、前記ランキング情報および前記インセンティブ情報を、前記印刷装置に送信し、
前記印刷部は、前記解析情報、前記運動実績、前記ランキング情報および前記インセンティブ情報を印刷することを特徴とする請求項４に記載の解析情報提供システム。
【請求項６】
前記計測部は、前記運動情報として、水泳で泳いだ距離および／または水泳時のユーザーにかかる負荷を計測することを特徴とする請求項１ないし５のいずれか１項に記載の解析情報提供システム。
【請求項７】
前記計測部は、前記運動情報として、ゴルフのスイングおよび／またはゴルフ時のユーザーにかかる負荷を計測することを特徴とする請求項１ないし５のいずれか１項に記載の解析情報提供システム。
【請求項８】
前記ユーザー機器は、
前記計測部を備えた運動管理機器と、
前記送信部を備え、前記運動管理機器と通信可能な携帯端末と、を含むことを特徴とする請求項１ないし７のいずれか１項に記載の解析情報提供システム。
【請求項９】
請求項１ないし８のいずれか１項に記載の解析情報提供システムに適用される印刷装置。
【請求項１０】
ユーザー機器、印刷装置およびサーバーを含み、前記ユーザー機器を所有するユーザーに対し運動解析結果である解析情報を提供する解析情報提供システムの制御方法であって、
前記ユーザー機器が、
前記ユーザーの運動に関する情報である運動情報を計測する計測ステップと、
計測した前記運動情報に、ユーザー識別情報を付加して前記サーバーに送信する送信ステップと、を実行し、
前記印刷装置が、
前記ユーザーのチェックアウトを検出する検出ステップと、
前記チェックアウトを検出したとき、前記ユーザーのユーザー識別情報と、前記解析情報を取得するための解析情報要求と、を前記サーバーに送信する送信ステップと、
前記サーバーから送信された前記解析情報を印刷する印刷ステップと、を実行し、
前記サーバーが、
前記ユーザー機器から送信された前記ユーザー識別情報および前記運動情報をデータベースに記録する記録ステップと、
前記印刷装置から前記ユーザー識別情報および前記解析情報要求が送信されたとき、前記データベースに記録された前記運動情報に基づいて前記解析情報を生成する生成ステップと、
生成した前記解析情報を前記印刷装置に送信する送信ステップと、を実行することを特徴とする解析情報提供システムの制御方法。
【発明の詳細な説明】
【技術分野】
【０００１】
本発明は、ユーザーに対し運動解析結果である解析情報を提供する解析情報提供システム、印刷装置および解析情報提供システムの制御方法に関する。
【背景技術】
【０００２】
従来、例えば特許文献１には、カラオケ店におけるユーザーの注文データから得られる摂取カロリーと、歌唱による消費カロリーとの差分である差分カロリーに応じた運動指示を印刷するカラオケシステムが開示されている。この構成により、ユーザーが摂取カロリーを気にすることなくカラオケを楽しむことができると共に、ダイエット効果を奏する。
【先行技術文献】
【特許文献】
【０００３】
【特許文献１】特開２００６−２７６４１６号公報
【発明の概要】
【発明が解決しようとする課題】
【０００４】
ところが、ダイエットに真剣に取り組みたいユーザーや、本格的に体を鍛えたいユーザーにとって、特許文献１に記載のように、カロリー消費のみを目的とした運動指示だけでは情報量として不十分である。すなわち、ユーザーは効率的／効果的なトレーニングを行うため、運動による脂肪燃焼効果や筋肉増強効果、運動による体への負荷（運動中の生体情報の変化）、水泳やゴルフなど特定スポーツの上達度など、より多くの情報を求めている。
【０００５】
本発明は、上記の課題に鑑み、ユーザーに対し効率的／効果的なトレーニングを行うためのサポートを行う解析情報提供システム、印刷装置および解析情報提供システムの制御方法を実現することを目的とする。
【課題を解決するための手段】
【０００６】
本発明の解析情報提供システムは、ユーザー機器、印刷装置およびサーバーを含み、ユーザー機器を所有するユーザーに対し運動解析結果である解析情報を提供する解析情報提供システムであって、ユーザー機器は、ユーザーの運動に関する情報である運動情報を計測する計測部と、計測した運動情報に、ユーザー識別情報を付加してサーバーに送信する送信部と、を備え、印刷装置は、ユーザーのチェックアウトを検出する検出部と、チェックアウトを検出したとき、ユーザーのユーザー識別情報と、解析情報を取得するための解析情報要求と、をサーバーに送信する送信部と、サーバーから送信された解析情報を印刷する印刷部と、を備え、サーバーは、ユーザー機器から送信されたユーザー識別情報および運動情報をデータベースに記録する記録部と、印刷装置からユーザー識別情報および解析情報要求が送信されたとき、データベースに記録された運動情報に基づいて解析情報を生成する生成部と、生成した解析情報を印刷装置に送信する送信部と、を備えることを特徴とする。
【０００７】
本発明の印刷装置は、上記の解析情報提供システムに適用されることを特徴とする。
【０００８】
本発明の解析情報提供システムの制御方法は、ユーザー機器、印刷装置およびサーバーを含み、ユーザー機器を所有するユーザーに対し運動解析結果である解析情報を提供する解析情報提供システムの制御方法であって、ユーザー機器が、ユーザーの運動に関する情報である運動情報を計測する計測ステップと、計測した運動情報に、ユーザー識別情報を付加してサーバーに送信する送信ステップと、を実行し、印刷装置が、ユーザーのチェックアウトを検出する検出ステップと、チェックアウトを検出したとき、ユーザーのユーザー識別情報と、解析情報を取得するための解析情報要求と、をサーバーに送信する送信ステップと、サーバーから送信された解析情報を印刷する印刷ステップと、を実行し、サーバーが、ユーザー機器から送信されたユーザー識別情報および運動情報をデータベースに記録する記録ステップと、印刷装置からユーザー識別情報および解析情報要求が送信されたとき、データベースに記録された運動情報に基づいて解析情報を生成する生成ステップと、生成した解析情報を印刷装置に送信する送信ステップと、を実行することを特徴とする。
【０００９】
本発明の構成によれば、施設（スポーツクラブ、スイミングスクールなど）をチェックアウトするユーザーに対し、運動解析結果である解析情報を印刷物として提供することができる。例えば、解析情報として、実際に行った運動の効果、その運動による身体への負荷、特定スポーツの上達度などを提供することで、ユーザーはこれらの情報を次回の運動に生かし、より高い運動効果を得ることができる。
【００１０】
上記の解析情報提供システムにおいて、生成部は、印刷装置からユーザー識別情報および解析情報要求が送信されたとき、解析情報と共に、所定の期間内に計測または送信された運動情報に基づく運動実績を生成し、サーバーの送信部は、生成した解析情報および運動実績を印刷装置に送信し、印刷部は、解析情報および運動実績を印刷することを特徴とする。
【００１１】
本発明の構成によれば、ユーザーは、チェックアウト時に発行される印刷物により所定の期間における運動実績を把握できる。
【００１２】
上記の解析情報提供システムにおいて、検出部は、ユーザーのチェックアウト以外にチェックインを検出し、印刷装置の送信部は、チェックインまたはチェックアウトを示す情報と共にユーザー識別情報をサーバーに送信し、所定の期間は、同一ユーザーのチェックインからチェックアウトまでの期間であることを特徴とする。
【００１３】
本発明の構成によれば、ユーザーは、施設へのチェックインからチェックアウトまでに行った運動実績を把握することができる。
【００１４】
上記の解析情報提供システムにおいて、生成部は、印刷装置からユーザー識別情報および解析情報要求が送信されたとき、解析情報および運動実績と共に、データベースに記録された複数のユーザーの運動情報に基づいて、対応するユーザーのランキングを示すランキング情報を生成し、サーバーの送信部は、解析情報、運動実績およびランキング情報を印刷装置に送信し、印刷部は、解析情報、運動実績およびランキング情報を印刷することを特徴とする。
【００１５】
本発明の構成によれば、ユーザーは、解析情報、運動実績と共に、同じ施設を利用する利用者の中でのランキングを把握することができる。
【００１６】
上記の解析情報提供システムにおいて、生成部は、解析情報および運動実績と共に、対応するユーザーのランキングに応じたインセンティブを示すインセンティブ情報を生成し、サーバーの送信部は、解析情報、運動実績、ランキング情報およびインセンティブ情報を、印刷装置に送信し、印刷部は、解析情報、運動実績、ランキング情報およびインセンティブ情報を印刷することを特徴とする。
【００１７】
本発明の構成によれば、ユーザーは、ランキングに応じてインセンティブを得ることができるため、これが励みとなり、より高い運動効果が期待できる。
【００１８】
上記の解析情報提供システムにおいて、計測部は、運動情報として、水泳で泳いだ距離および／または水泳時のユーザーにかかる負荷を計測することを特徴とする。
【００１９】
本発明の構成によれば、ユーザーに対し、効率的／効果的なスイムトレーニングを行うための（水泳が上達するための）サポートを行うことができる。
【００２０】
上記の解析情報提供システムにおいて、計測部は、運動情報として、ゴルフのスイングおよび／またはゴルフ時のユーザーにかかる負荷を計測することを特徴とする。
【００２１】
本発明の構成によれば、ユーザーに対し、効率的／効果的なゴルフトレーニングを行うための（ゴルフが上達するための）サポートを行うことができる。
【００２２】
上記の解析情報提供システムにおいて、ユーザー機器は、計測部を備えた運動管理機器と、送信部を備え、運動管理機器と通信可能な携帯端末と、を含むことを特徴とする。
【００２３】
本発明の構成によれば、携帯端末として、通信機能や表示機能を有する携帯電話やスマートフォンを用いることができる。これにより、運動管理機器の構成を簡素化し、低廉化を図ることができる。
【図面の簡単な説明】
【００２４】
【図１】本発明の一実施形態に係る解析情報提供システムのシステム構成図である。
【図２】運動管理機器および携帯端末の機能構成を示すブロック図である。
【図３】ＰＯＳプリンターの機能構成を示すブロック図である。
【図４】管理サーバーの機能構成を示すブロック図である。
【図５】会計レシートの説明図である。
【図６】会計レシートに印刷される付加情報の説明図である。
【図７】データベースの説明図である。
【図８】解析情報提供処理の流れを示すフローチャートである。
【発明を実施するための形態】
【００２５】
以下、本発明の一実施形態に係る解析情報提供システム、印刷装置および解析情報提供システムの制御方法について、添付図面を参照しながら詳細に説明する。本実施形態では、プールを備えたスポーツクラブまたはスイミングスクールにおいて、スイムトレーニングの解析情報提供サービスを行う例を示す。
【００２６】
図１は、解析情報提供システムＳＹのシステム構成図である。解析情報提供システムＳＹは、ユーザーが所有・保持する運動管理機器１および携帯端末２と、スポーツクラブまたはスイミングスクール等の施設に設置されるＰＯＳ（Point  Of  Sales）端末３およびＰＯＳプリンター４（印刷装置）と、インターネット等のネットワーク上に構築される管理サーバー５（サーバー）と、を備える。
【００２７】
運動管理機器１は、ユーザーが身体の一部（手首、足首など）に装着して水泳トレーニングを行うことで、ユーザーの移動（スイム距離）やトレーニング中の負荷を計測する。これらの計測は、ＧＰＳ（Global  Positioning  System）受信機、ユーザーの動きを検出するモーションセンサー（加速度センサーや方向センサー等）、ユーザーの生体情報を計測する生体情報センサー（心拍数センサーや脈拍数センサー等）、などを組み合わせて用いる。なお、運動管理機器１は、身体の複数個所に装着しても良い。
【００２８】
携帯端末２は、運動管理機器１と通信可能に構成され、運動管理機器１と連携する専用アプリケーション２０がインストールされる。通信手段としては、近距離無線通信、赤外線通信などの非接触通信を用いることが好ましいが、有線通信を用いても良い。専用アプリケーション２０は、運動管理機器１から測定結果を取得し、計測結果の記録・集計、記録・集計結果の表示、記録・集計結果の出力、などを行う。なお、携帯端末２としては、スマートフォンを含む各種タブレット端末、携帯電話、ノート型パソコンなどを用いる。
【００２９】
ＰＯＳ端末３は、ユーザーによる施設利用料の支払い、または飲食物やトレーニング用品の購入に際して会計処理（精算処理）を行う。また、ＰＯＳ端末３は、会計処理結果を印刷するための会計情報（印刷データ）の生成を行う。ＰＯＳプリンター４は、ＰＯＳ端末３から出力された会計情報をレシート用紙に印刷し、会計レシートＲを発行する。また、本実施形態のＰＯＳプリンター４は、ユーザーのチェックイン（施設への入場）およびチェックアウト（施設からの退場）を検出する。さらに、本実施形態のＰＯＳプリンター４は、管理サーバー５とネットワーク通信を行う通信機能を有しており、管理サーバー５から取得した情報を会計レシートＲに印刷する。
【００３０】
本実施形態において、管理サーバー５から取得する情報は、ユーザーのチェックインから同一ユーザーのチェックアウトまでに取得した運動情報に基づく運動実績、その運動解析結果を示す解析情報、チェックインからチェックアウトまでに取得した運動情報の集計結果に基づくランキング情報、そのランキングに応じたインセンティブであるクーポン情報である。以下、これら運動実績、解析情報、ランキング情報およびクーポン情報を、「付加情報」と総称する（図５（ａ）参照）。但し、クーポン情報については、ランキング上位のユーザーのみに送信されるため、クーポン情報を除く、運動実績、解析情報およびランキング情報が「付加情報」として送信される場合もある（図５（ｂ）参照）。詳細については、後述する。
【００３１】
管理サーバー５は、解析情報提供システムＳＹを統括管理するサーバーであり、複数の携帯端末２および複数のＰＯＳプリンター４と通信する（図１では、１台ずつ図示）。具体的には、運動管理機器１によって計測されたユーザーの運動情報を携帯端末２から取得し、これをユーザー識別情報と共にデータベース５０に記録する。また、管理サーバー５は、ＰＯＳプリンター４から各ユーザーのチェックイン／チェックアウト検出結果を取得し、各ユーザーについてチェックインからチェックアウトまでの施設利用中における運動情報を集計・解析する。また、その集計・解析結果を、付加情報としてＰＯＳプリンター４に送信する。ＰＯＳプリンター４は、当該付加情報を、ＰＯＳ端末３から取得した会計情報と共に会計レシートＲに印刷する。
【００３２】
なお、本実施形態において、施設におけるチェックイン／チェックアウトの検出は、ＰＯＳプリンター４に接続された受信機（無線機器，図示省略）で行う。例えば、プール入口または出口に受信機を設置し、ユーザー（携帯端末２）の通過に伴ってチェックインまたはチェックアウトを検出すると共にユーザー認証を行うことが考えられる。またＰＯＳプリンター４に接続されたリーダーに、ユーザーが自発的に携帯端末２を翳す構成でも良い。この場合、ＰＯＳプリンター４は、ユーザーによるチェックイン操作またはチェックアウト操作により、チェックイン／チェックアウトを区別しても良いし、会計処理を伴わないユーザー識別情報の取得はチェックインと看做し、会計処理を伴うユーザー識別情報の取得はチェックアウトと看做す構成でも良い。さらに、チェックアウト時には、携帯端末２の電子マネー機能を利用して精算を行っても良い。これらの構成によれば、受付スタッフ／レジスタッフを必要としないため、人件費を削減できる。
【００３３】
次に、図２ないし図４を参照し、解析情報提供システムＳＹを構成する各構成要素の機能構成について説明する。図２は、運動管理機器１および携帯端末２の機能構成を示すブロック図である。運動管理機器１は、計測部１１およびＡ通信部１２を備える。
【００３４】
計測部１１は、ユーザーの運動に関する情報である運動情報を計測する。本実施形態では、運動情報として、水泳で泳いだ距離（水泳トレーニング中の位置情報の変化）および水泳時のユーザーにかかる負荷（水泳トレーニング中の生体情報，体組成情報の変化）を計測する。Ａ通信部１２は、通信手段Ａ（通信規格Ａ）に基づいて携帯端末２と通信を行う。通信手段Ａとしては、近距離無線通信や赤外線通信などを用いる。Ａ通信部２１は、携帯端末２に対し運動情報を送信する。
【００３５】
一方、携帯端末２は、Ａ通信部２１、表示部２２、Ｂ通信部２３（送信部）、識別情報記憶部２４およびＣ通信部２５を備える。これらの機能は、いずれも専用アプリケーション２０により実現される。
【００３６】
Ａ通信部２１は、通信手段Ａに基づいて運動管理機器１と通信を行い、運動情報を受信する。表示部２２は、運動管理機器１から受信した運動情報、運動情報の集計値、運動情報の解析結果等を表示する。
【００３７】
識別情報記憶部２４は、携帯端末２を所有するユーザーのユーザー識別情報を記憶する。当該ユーザー識別情報は、専用アプリケーション２０を用いてユーザーが入力した情報、または専用アプリケーション２０によって自動設定された情報を用いる。なお、ユーザー識別情報として、運動管理機器１または携帯端末２の識別情報（機器ＩＤ／端末ＩＤなど）を用いても良い。
【００３８】
Ｂ通信部２３は、通信手段Ｂに基づいて管理サーバー５と通信を行う。通信手段Ｂとしては、無線／有線ＬＡＮ通信、電話回線、衛星回線、インターネット回線などを用いる。Ｂ通信部２３は、管理サーバー５に対し、運動管理機器１から取得した運動情報と、識別情報記憶部２４から読み出したユーザー識別情報を送信する。なお、ユーザー識別情報および運動情報の送信は、運動情報の計測時（リアルタイム送信）でも良いし、ユーザーが運動管理機器１または携帯端末２に対して所定の操作を行った時でも良いし、定期的に（３０分毎に送信するなど）行っても良い。
【００３９】
Ｃ通信部２５は、通信手段Ｃに基づいてＰＯＳプリンター４と通信を行う。通信手段Ｃとしては、近距離無線通信、無線ＬＡＮ通信、赤外線通信などを用いる。Ｃ通信部２５は、ユーザーのチェックイン／チェックアウト時において、識別情報記憶部２４から読み出したユーザー識別情報をＰＯＳプリンター４に送信する。
【００４０】
図３は、ＰＯＳプリンター４の機能構成を示すブロック図である。ＰＯＳプリンター４は、Ｃ通信部４１、検出部４２、Ｄ通信部４３（送信部）、付加情報取得部４４、印刷部４５および会計情報取得部４６を備える。
【００４１】
Ｃ通信部４１は、通信手段Ｃに基づいて携帯端末２と通信を行う。上記のとおりＣ通信部４１は、ＰＯＳプリンター４に接続された受信機またはリーダーにより実現される。検出部４２は、携帯端末２からＣ通信部４１を介して取得したユーザー識別情報に基づいて、各ユーザーのチェックインおよびチェックアウトを検出する。Ｄ通信部４３は、通信手段Ｄに基づいて管理サーバー５と通信を行う。通信手段Ｄとしては、無線／有線ＬＡＮ通信、インターネット回線などを用いる。Ｄ通信部４３は、ユーザーのチェックイン時には、ユーザー識別情報およびチェックイン情報を管理サーバー５に送信し、ユーザーのチェックアウト時には、ユーザー識別情報およびチェックアウト情報を管理サーバー５に送信する。また、Ｄ通信部４３は、ユーザーのチェックアウト時において、管理サーバー５から付加情報を受信する。つまり、チェックアウト情報は、付加情報の取得を要求する付加情報要求（解析情報要求）を含む。
【００４２】
付加情報取得部４４は、Ｄ通信部４３を介して管理サーバー５から付加情報を取得する。会計情報取得部４６は、ユーザーのチェックアウトに伴う会計処理時に、ＰＯＳ端末３から会計情報を取得する。印刷部４５は、会計情報取得部４６で取得した会計情報および付加情報取得部４４で取得した付加情報を会計レシートＲとして印刷する。
【００４３】
図５は、会計レシートＲの構成を示す説明図である。図５（ａ）は、クーポン情報を含む会計レシートＲの構成を示し、図５（ｂ）は、クーポン情報を含まない会計レシートＲの構成を示す。なお、クーポン情報の発行の有無は、管理サーバー５にて判定する。
【００４４】
図５（ａ）に示すように、クーポン情報が発行される場合、印刷部４５は、会計情報、運動実績、解析情報、ランキング情報、クーポン情報の順に印刷する。また、図５（ｂ）に示すように、クーポン情報が発行されない場合は、会計情報、運動実績、解析情報、ランキング情報、の順に印刷する。なお、管理サーバー５側でチェックインまたはチェックアウトが判定できなかったユーザー（プールを利用せず、トレーニング用品のみを購入した顧客など）の場合、印刷部４５は、会計情報のみを含む会計レシートＲ（図示省略）を印刷する。
【００４５】
なお、会計情報と付加情報、および付加情報に含まれる各情報の印刷順序は、図５に示したものに限らず、任意である。また、各情報の間を切断し、１人のユーザーに対し複数枚のレシートを発行しても良い。また、クーポン情報は、会計レシートＲに印刷するのではなく、Ｃ通信部４１を介して携帯端末２に送信しても良い。
【００４６】
図４は、管理サーバー５の機能構成を示すブロック図である。管理サーバー５は、Ｂ通信部５１、記録部５２、生成部５３およびＤ通信部５４（送信部）を備える。
【００４７】
Ｂ通信部５１は、通信手段Ｂに基づいて携帯端末２と通信を行い、ユーザー識別情報および運動情報を受信する。記録部５２は、受信したユーザー識別情報および運動情報をデータベース５０に記録する。
【００４８】
図７は、データベース５０に記録される情報を示す説明図である。同図は、１２月１日のある施設に入場した２人のユーザーの情報を示す。同図に示すようにデータベース５０には、ユーザー識別情報に関連付けて、チェックイン時刻と、運動情報の取得履歴と、チェックアウト時刻と、クーポン発行の要否および発行済か否かを示す情報と、が記録される。本実施形態では、先月のスイム距離（１か月のスイム距離の合計）の長さでランキング付けを行っており、その上位１０位までのユーザーに対し、翌月の最初の施設利用時にクーポンを発行する。したがって、「クーポン発行の要否」については、前の月にデータベース５０に記録された情報が反映される。
【００４９】
同図の一段目の例は、ユーザー識別情報「0001」のユーザーが、12/1  7:50にチェックインし、10:00にチェックアウトするまでの間、３回運動情報を取得したこと、並びにクーポン発行が必要なユーザーでありクーポン発行済であることを示す。また、二段目の例は、ユーザー識別情報「0002」のユーザーが、12/1  9:00にチェックインし、現在まで２回運動情報を取得したが、まだチェックアウトしていないこと、並びにクーポン発行が必要なユーザーであるが、未だクーポンを発行していないことを示す。
【００５０】
図４の説明に戻る。Ｄ通信部５４は、通信手段Ｄに基づいてＰＯＳプリンター４と通信を行い、ユーザー識別情報およびチェックイン情報／チェックアウト情報を受信する。生成部５３は、ＰＯＳプリンター４からユーザー識別情報およびチェックアウト情報（付加情報要求）を受信すると、データベース５０に記録されたチェックインからチェックアウトまでの期間（所定の期間）に取得した運動情報に基づいて、付加情報（運動実績、解析情報、ランキング情報およびクーポン情報）を生成する。その後、Ｄ通信部５４は、生成部５３により生成された付加情報をＰＯＳプリンター４に送信する。
【００５１】
図６は、生成部５３により生成される付加情報の具体例を示す図である。図６（ａ）に示すように運動実績としては、トレーニング時間（チェックインからチェックアウトまでの時間）、スイム距離（チェックインからチェックアウトまでの間に泳いだ距離）などを生成する。また、図６（ｂ）に示すように解析情報としては、カロリー消費量（スイム距離、心拍数およびユーザーの身体情報等から算出する）、ＭＥＴＳ（Metabolic  equivalents，運動を行った時に安静状態の何倍のカロリー消費をしているかを示す値）、脂肪燃焼量（カロリー消費量およびユーザーの身体情報等から算出する）、負荷レベル（心拍数から得られるトレーニング負荷）、心肺機能強化レベル（過去測定した心拍数と今日測定した心拍数とを比較することにより得られる値）、今日のトレーニングの総評、次回のお勧めトレーニングメニューなどを生成する。また、図６（ｃ）に示すようにランキング情報としては、先月のランキング（クーポン発行の要否を判別するための情報，先月のスイム距離の合計値）、今月のランキング（現在のランキング，今月のスイム距離の合計値）などを生成する。また、図６（ｄ）に示すようにクーポン情報としては、クーポン内容（先月のランキングに応じたクーポン額を設定する）、クーポンの有効期限などを生成する。
【００５２】
次に、図８のフローチャートを参照し、携帯端末２、ＰＯＳプリンター４および管理サーバー５によって実行される解析情報送信処理の流れを説明する。まず、ユーザーが携帯端末２を用いてチェックインすると（Ｓ０１）、ＰＯＳプリンター４がこれを検出し（Ｓ０２）、チェックイン情報およびユーザー識別情報を管理サーバー５に送信する（Ｓ０３）。管理サーバー５は、当該情報の受信をトリガーとして、運動情報の記録を開始する（Ｓ０４）。
【００５３】
その後、ユーザーがトレーニングを開始すると（Ｓ０５）、携帯端末２はリアルタイムまたは定期的に運動管理機器１から取得した運動情報を管理サーバー５に送信する（Ｓ０６）。管理サーバー５は、運動情報を取得し、これをデータベース５０に記録する（Ｓ０７）。そして、ユーザーがトレーニングを終了し（Ｓ０８）、携帯端末２を用いてチェックアウトすると（Ｓ０９）、ＰＯＳプリンター４がこれを検出し（Ｓ１０）、チェックアウト情報およびユーザー識別情報を管理サーバー５に送信する（Ｓ１１）。管理サーバー５は、当該情報の受信をトリガーとして、運動情報の記録を終了し（Ｓ１２）、付加情報を生成する（Ｓ１３）。管理サーバー５は、付加情報を生成すると、これをＰＯＳプリンター４に送信する（Ｓ１４）。ＰＯＳプリンター４は、ＰＯＳ端末３から取得した会計情報と、管理サーバー５から取得した付加情報を含む会計レシートＲを印刷する（Ｓ１５）。
【００５４】
以上説明したとおり、本実施形態の解析情報提供システムＳＹによれば、施設（スポーツクラブ、スイミングスクールなど）をチェックアウトするユーザーに対し、施設利用中のトレーニングに関する運動実績や解析情報を印刷物として提供することができる。これにより、ユーザーはこれらの情報を次回のトレーニングに生かし、より高い運動効果を得ることができる。また、印刷物には、ランキング情報やクーポン情報も印刷されるため、これらがトレーニングの励みとなり、より高い運動効果が期待できる。さらに、会計レシートＲ内にこれらの情報が印刷されるため、印刷物を発行するためにユーザーによる特段の操作を必要としない。
【００５５】
［変形例］
なお、上記の実施形態に限らず、以下の変形例を採用可能である。
例えば、上記の実施形態では、管理サーバー５で生成した解析情報等をＰＯＳプリンター４に送信したが、携帯端末２に送信しても良い。つまり、携帯端末２の画面上で、解析情報等を確認可能としても良い。また、施設利用時以外にも、携帯端末２から管理サーバー５に運動情報を送信可能とし、施設利用時以外のトレーニングについても、携帯端末２の画面上で解析情報等を確認可能としても良い。
【００５６】
また、上記の実施形態の管理サーバー５は、チェックインからチェックアウトまでの運動情報に基づいて運動実績を生成したが、施設利用時以外も含め、１日分、１週間分、１か月分など所定の期間内に運動管理機器１で計測または携帯端末２から送信された運動情報に基づいて運動実績を生成しても良い。
【００５７】
また、上記の実施形態では、ランキングに応じたインセンティブとして、クーポン情報を提供したが、ポイントを付与し、そのポイント情報を付加情報の一部として会計レシートＲに印刷しても良い。また、チェックアウト時に支払う会計金額から直接値引きを行うなど、インセンティブの種類およびその付与方法は問わない。
【００５８】
また、上記の実施形態では、運動管理機器１で計測した運動情報を、携帯端末２を介して管理サーバー５に送信したが、運動管理機器１から直接管理サーバー５に送信しても良い（ユーザー機器）。その場合、送信タイミングは、運動情報の計測時（リアルタイム送信）でも良いし、ユーザーが運動管理機器１に対して所定の操作を行った時でも良いし、運動管理機器１の電源ＯＮ時／ＯＦＦ時、または定期的に行っても良い。また、ユーザーがチェックアウトする際に、運動管理機器１からＰＯＳプリンター４を介して管理サーバー５に運動情報（チェックインからチェックアウトまでの運動情報、その日の運動情報、運動管理機器１に記憶されている全ての運動情報のいずれか）を送信しても良い。
【００５９】
また、上記の実施形態では、会計処理を条件として会計レシートＲを印刷したが、買い物をしなくても、ユーザーのチェックアウトを検出することにより、ＰＯＳプリンター４で付加情報が印刷されたレシートを発行可能としても良い。
【００６０】
また、上記の実施形態では、管理サーバー５により解析情報や運動実績を生成したが、専用アプリケーション２０により解析情報や運動実績を生成しても良い。この場合、専用アプリケーション２０（携帯端末２）は、チェックアウト時にＰＯＳプリンター４に対してこれらの情報を送信し、レシートとして印刷可能としても良い。
【００６１】
また、上記に示した解析情報提供システムＳＹの各構成要素をプログラムとして提供することが可能である。また、そのプログラムを各種記録媒体（ＣＤ−ＲＯＭ、フラッシュメモリー等）に格納して提供することも可能である。すなわち、コンピューターを解析情報提供システムＳＹの各構成要素として機能させるためのプログラム、およびそれを記録した記録媒体も、本発明の権利範囲に含まれる。
【００６２】
また、上記の実施形態では、スイムトレーニングの解析情報提供サービスを行う場合を例示したが、ゴルフ、ウォーキング、ダンス、ジムトレーニングなど運動の種類は問わない。例えば、ゴルフの場合は、運動管理機器１をユーザーの身体の一部および／またはゴルフクラブのシャフトに装着し、運動情報として、ゴルフ時のユーザーにかかる負荷（生体情報）および／またはゴルフのスイングを計測すれば良い。また、運動実績として、スイング回数、歩行距離の他、スイング時のヘッドスピード、フェース角、スイング傾向、クラブパス、アタック角などのデータを記録・印刷し、解析情報として、スイングの癖や傾向、直すべきポイント、理想となるスイングイメージとの差、などを記録・印刷しても良い。
【００６３】
また、ユーザーの健康管理情報や身体情報（年齢、性別、体重、身長、病歴など）をデータベース５０に登録しておき、当該健康管理情報を考慮して解析情報を生成しても良い。その他、本発明の要旨を逸脱しない範囲で、適宜変更が可能である。
【符号の説明】
【００６４】
１：運動管理機器  ２：携帯端末  ３：ＰＯＳ端末  ４：ＰＯＳプリンター  ５：管理サーバー  ２０：専用アプリケーション  ５０：データベース  Ｒ：会計レシート  ＳＹ：解析情報提供システム
【図１】
2016131612.tif 000003
【図２】
2016131612.tif 000004
【図３】
2016131612.tif 000005
【図４】
2016131612.tif 000006
【図５】
2016131612.tif 000007
【図６】
2016131612.tif 000008
【図７】
2016131612.tif 000009
【図８】
2016131612.tif 000010